(57)【要約】【課題】ユーザが飲食を趣味的に楽しんだりユーザへの宣伝広報を行うことができ、またユーザが飲んだ量の目安を知ることを可能とする。【解決手段】飲食料ＤＲが収容される容器１１と、容器１１の上部開口を覆う蓋体１２と、蓋体１２に設けられる穴を貫通して容器１１の内部に挿入されるストロー１３と、容器１１の外部においてストロー１３に取り付けられ、ユーザへのメッセージ１５を伝えるためのタグ１４とを有する。タグ１４は、シート状体からなり、シート状体の弾性力によってストロー１３の外周面を挟むことによってストロー１３に取り付けられる。【選択図】図１
2020039473.tif 000002
【特許請求の範囲】
【請求項１】
飲食料が収容される容器と、
前記容器の上部開口を覆う蓋体と、
前記蓋体に設けられる穴を貫通して前記容器の内部に挿入されるストローと、
前記容器の外部において前記ストローに取り付けられ、ユーザへメッセージを伝えるためのタグと、
を有することを特徴とする飲食用容器セット。
【請求項２】
前記タグは、シート状体からなり、前記シート状体の弾性力によって前記ストローの外周面を挟むことによって、前記ストローに取り付けられる、
請求項１記載の飲食用容器セット。
【請求項３】
前記タグは、矩形状であり、対向する２つの辺の近傍においてそれぞれの辺と平行に切り込みが設けられ、２つの前記切り込みを前記ストローが挿通されることによって、前記ストローに取り付けられる、
請求項２記載の飲食用容器セット。
【請求項４】
前記タグには、その少なくとも一方の面に前記メッセージが表示されてなる、
請求項１ないし３のいずれかに記載の飲食用容器セット。
【請求項５】
前記ストローには、その長手方向に沿った位置を示すための目盛りが表示されてなる、
請求項１ないし４のいずれかに記載の飲食用容器セット。
【請求項６】
前記蓋体には、前記ストローの断面とほぼ同じ形状の複数の模様が設けられ、
前記ストローは、その先端部が斜めにカットされており、前記先端部を前記模様の１つに突き刺すことによって前記蓋体に前記穴を設けて前記容器の内部に挿入することが可能となっている、
請求項１ないし５のいずれかに記載の飲食用容器セット。
【請求項７】
請求項１ないし６のいずれかに記載の飲食用容器セットに飲食料が収容された飲食物。
【請求項８】
飲食料が収容される容器と、前記容器の上部開口を覆う蓋体と、前記蓋体に設けられる穴を貫通して前記容器の内部に挿入されるストローとを有する飲食用容器に用いられ、前記容器の外部において前記ストローに取り付けられ、ユーザへメッセージを伝えるためのタグであって、
前記タグは、シート状体からなり、前記シート状体の弾性力によって前記ストローの外周面を挟むことによって、前記ストローに取り付けられる、
ことを特徴とする飲食用容器に用いられるタグ。
【発明の詳細な説明】
【技術分野】
【０００１】
本発明は、液状またはゲル状などストローを利用して飲食するための飲食用容器セット、飲食物、および飲食用容器に用いられるタグに関する。
【背景技術】
【０００２】
従来において、ジュース、コーヒー、茶、その他の液状の飲料、およびゼリー、クリーム、アイスクリーム、その他のゲル状の飲料または飲食料などが、容器に収容された状態で店内または店頭で販売されており、ユーザはそれらを購入後直ぐに飲食することができる。
【０００３】
従来より、そのための飲食用容器セットとして、容器の上部開口を覆う蓋体および蓋体に設けられる穴を貫通して前記容器の内部に挿入されるストローがセットになった飲食用容器セットが用いられている（特許文献１〜３）。
【先行技術文献】
【特許文献】
【０００４】
【特許文献１】特開２００８−２９５４５３号公報
【特許文献２】特開２０１６−５４８７６号公報
【特許文献３】実用新案登録第３１５１９３５号公報
【発明の概要】
【発明が解決しようとする課題】
【０００５】
従来の飲食用容器セットでは、単にユーザが飲料を飲むという実用の点においては十分に目的を達している。
【０００６】
しかし、ユーザが飲食を楽しむという趣味的な点においては物足りない面がある。
【０００７】
また、飲食料を提供する側から見ると、飲食料などに関してユーザに宣伝し広報したいことがあっても、容器の周囲に適当なメッセージを印刷しておく程度であり、目立った効果は期待できなかった。
【０００８】
また、１つの容器内の飲料を複数のユーザが順に飲用しようとした場合に、それぞれのユーザがどれだけの量を飲んだかを測る目安がないので不公平になることが多い。
【０００９】
本発明は、このような問題に鑑みてなされたもので、ユーザが飲食を趣味的に楽しんだりユーザへの宣伝広報を行うことができ、またユーザが飲食した量の目安を知ることの可能な飲食用容器セット、飲食物、および飲食用容器に用いられるタグを提供することを目的とする。
【課題を解決するための手段】
【００１０】
本発明に係る飲食用容器セットは、飲食料が収容される容器と、前記容器の上部開口を覆う蓋体と、前記蓋体に設けられる穴を貫通して前記容器の内部に挿入されるストローと、前記容器の外部において前記ストローに取り付けられ、ユーザへメッセージを伝えるためのタグとを有する。
【００１１】
好ましくは、前記タグは、シート状体からなり、前記シート状体の弾性力によって前記ストローの外周面を挟むことによって、前記ストローに取り付けられる。
【００１２】
さらに好ましくは、前記タグは、矩形状であり、対向する２つの辺の近傍においてそれぞれの辺と平行に切り込みが設けられ、２つの前記切り込みを前記ストローが挿通されることによって、前記ストローに取り付けられる。
【００１３】
本発明に係る飲食物は、飲食用容器セットに飲食料が収容されたものである。
【００１４】
本発明に係る飲食用容器に用いられるタグは、シート状体からなり、前記シート状体の弾性力によって前記ストローの外周面を挟むことによって、前記ストローに取り付けられる。
【発明の効果】
【００１５】
本発明の飲食用容器セット、飲食物、および飲食用容器に用いられるタグによると、ユーザが飲食を趣味的に楽しんだりユーザへの宣伝広報を行うことができ、またユーザが飲食した量の目安を知ることができる。
【図面の簡単な説明】
【００１６】
【図１】本発明の一実施形態の飲食用容器セットの外形の例を示す図である。
【図２】飲食用容器セットの正面図である。
【図３】タグの形状および使用状態における形状を示す図である。
【図４】タグの位置によるストローの位置の変化を示す図である。
【図５】ストローに付された目盛りの例を示す図である。
【図６】タグの形状の他の例を示す図である。
【発明を実施するための形態】
【００１７】
以下、本発明における実施形態について説明する。
【００１８】
図１には本発明の一実施形態の飲食用容器セット１の外形の例が、図２には飲食用容器セット１の正面図が、図３にはタグ１４の形状および使用状態における形状が、それぞれ示されている。なお、図２において、容器１１は断面で示されている。
【００１９】
図１および図２において、飲食用容器セット１は、飲食料ＤＲが収容される容器１１、容器１１の上部開口を覆う蓋体１２、蓋体１２に設けられる穴１２ａを貫通して容器１１の内部に挿入されるストロー１３、および、容器１１の外部においてストロー１３に取り付けられ、ユーザへメッセージ１５を伝えるためのタグ１４を有する。
【００２０】
飲食用容器セット１に飲食料ＤＲが収容されたものが、飲食物である。
【００２１】
なお、容器１１、蓋体１２、ストロー１３、およびタグ１４は、材料としてプラスチック、紙、木材、または金属箔などが用いられ、それぞれの機能に応じて種々の寸法および形状に形成することが可能である。
【００２２】
例えば、容器１１は、プラスチックによって外形が逆円錐台状に形成され、上部が開口し、要所に補強用の段部またはエンボスが設けられる。
【００２３】
蓋体１２は、円形状のプラスチックフィルムであり、その周縁が容器１１の開口端面に貼り付けられている。蓋体１２には、ストロー１３の断面とほぼ同じ形状の複数の模様１２ｂ，１２ｂ…が設けられており、模様１２ｂの１つにストロー１３を突き刺すことによって穴１２ａをあけて容器１１の内部に挿入することが可能となっている。なお、ストロー１３を突き刺すのは模様１２ｂの位置でなくてもよい。
【００２４】
なお、蓋体１２として、容器１１に被せることができかつ容器１１から分離可能なものとしてもよい。
【００２５】
ストロー１３は、白または種々の色のプラスチックまたは紙によって長い円筒状に形成され、その先端部１３ａが斜めにカットされている。ストロー１３の直径は、容器１１に収容される飲食料ＤＲの種類や流動性に応じて種々のものとすればよい。例えば、液状の飲食料であれば比較的細く、ゲル状の飲食料であれば比較的太くしておけばよい。ストロー１３の長さは、先端部１３ａを容器１１の底部にまで挿入した状態でユーザが上端から飲食料を容易に吸い上げることができる程度であればよい。
【００２６】
タグ１４は、白または種々の色のシート状体からなり、シート状体の弾性力によってストロー１３の外周面を挟むことによって、ストロー１３に取り付けられる。タグ１４の材料として、適当な可撓性および弾力性を有する紙またはプラスチックなどが設け用いられる。紙の表面にプラスチックフィルムをラミネートしたものでもよい。
【００２７】
図３（Ａ）（Ｂ）によく示されるように、本実施例形態においてタグ１４は矩形状であり、上下に対向する２つの辺の近傍においてそれぞれの辺と平行に切り込み２１ａ，２１ｂが設けられる。図３（Ｃ）（Ｄ）に示されるように、２つの切り込み２１ａ，２１ｂをストロー１３が挿通することによって、タグ１４がストロー１３に取り付けられる。
【００２８】
タグ１４の寸法の例をあげると、例えば縦２０〜４０ｍｍ程度、横３０〜５０ｍｍ程度、具体的には例えば縦３０ｍｍ、横４５ｍｍとすればよい。切り込み２１ａ，２１ｂの長さは、例えば１５〜２５ｍｍ程度、具体的には例えばストロー１３の直径が１１ｍｍである場合に２１ｍｍ程度とすればよい。切り込み２１ａ，２１ｂの位置は、横方向には中央とし、縦方向にはそれぞれの縁辺から２〜５ｍｍ程度の位置とすればよい。
【００２９】
なお、ストロー１３を切り込み２１ａ，２１ｂに挿通する際に、斜めにカットされたストロー１３の先端部１３ａから挿入すると、挿通が容易である。
【００３０】
タグ１４の切り込み２１ａ，２１ｂをストロー１３が挿通した状態では、切り込み２１ａ，２１ｂよりも端部側の端片３１ａ，３１ｂが、ストロー１３の外周面におけるタグ１４の本体部とは反対側に接触する。このとき、タグ１４の本体部は全体が曲面状となり、端片３１ａ，３１ｂもその反対側へ反った曲面状となる。その結果、ストロー１３の外周面をタグ１４の本体部と端片３１ａ，３１ｂとで挟み、タグ１４の材料の弾性力で押圧する。その押圧による表面の摩擦によって、タグ１４のストロー１３における取り付け位置が保持される。
【００３１】
タグ１４のストロー１３に対する保持力は、ユーザが指で操作することによりタグ１４の位置を容易に変更できるが、タグ１４を支持した状態でストロー１３がその自重によっては下方へ移動しない程度である。したがって、タグ１４が蓋体１２の上面に当接した状態で、外力を加えない場合にストロー１３はそのときの位置を保持することが可能である。
【００３２】
したがって、ストロー１３上のタグ１４から下方へ突出する長さを調節しておくことにより、タグ１４を蓋体１２の上面に当接した状態で飲食したときに、ユーザは容器１１内の飲食料を先端部１３ａの高さまで飲みまたは飲食することができる。これにより、飲食料の残量が調整され、ユーザが飲んだ量の目安を知ることができる。
【００３３】
タグ１４には、一方の面にメッセージ１５が印刷され、表示されている。メッセージ１５として、例えば「Ａｒｅ  ｙｏｕ  Ｈａｐｐｙ！！」「Ｙｅｓ！  Ｉ  Ｄｏ」「ＷＯＷ！」「ＯＭＧ」など、種々の語句を、適当なイラストまたは絵文字などとともに表示することができる。また、飲食料の販売者やスポンサー名などを表示してもよい。これらの語句またはイラストなどを適当な枠で囲んでもよい。
【００３４】
通常、ユーザは、タグ１４にストロー１３を挿通する際に、メッセージ１５が表示された面が凸となるように挿通する。したがって、メッセージ１５は、凸となった曲面に表示されることとなるので、ユーザの視認が容易であり、ユーザへのメッセージ１５の伝達および宣伝広報を効果的に行うことができる。
【００３５】
また、ユーザは、飲食時にタグ１４をストロー１３上で移動させて楽しんだり、メッセージ１５を楽しんだりし、飲食を趣味的に楽しむことができる。
【００３６】
なお、メッセージ１５をタグ１４の両面に印刷しておいてもよい。印刷に代えて、焼付けし、またはエンボス加工し、またはシールを貼り付けるなどによって表示してもよい。また、タグ１４それ自体の形状、模様、色、香り、または質感などをメッセージとしてもよい。
【００３７】
図４にはタグ１４の位置によるストロー１３の位置の変化が示されている。
【００３８】
図４（Ａ）では、タグ１４はストロー１３の下端に近い位置にあり、この場合にユーザは容器１１内の飲食料ＤＲを高いレベルＬＶ１までしか飲むことができず、レベルＬＶ１の飲食料が残る。
【００３９】
図４（Ｂ）では、タグ１４は図４（Ａ）よりも上の位置にあり、この場合にユーザは容器１１内の飲食料ＤＲをレベルＬＶ２まで飲むことができ、レベルＬＶ２の飲食料が残る。
【００４０】
図４（Ｃ）では、タグ１４は図４（Ｂ）よりも上の位置にあり、この場合にユーザは容器１１内の飲食料ＤＲを低部に近いレベルＬＶ３まで飲むことができ、容器１１を傾けるなどして飲食料を残すことなく全部飲むことができる。
【００４１】
このように、タグ１４の位置によって飲むことのできる飲食料の量が決まり、ユーザがどれだけの量を飲んだかを測る目安となるので、図４（Ａ）（Ｂ）（Ｃ）でそれぞれ別のユーザが順に飲食した場合に、それぞれのユーザの飲食する量を測りまたは規制することができる。
【００４２】
したがって、例えば、特に家族や親しい友人などが集まって、飲食用容器セット１による飲食を楽しむことができる。この場合に、容器１１のサイズを２人用、３人用など、多人数用としておくことにより、複数のユーザが楽しみながら割安で十分な量の飲食料を飲むことが可能である。
【００４３】
また、ストロー１３におけるタグ１４の位置の目印として、ストロー１３の長さ方向に沿った位置を示すための目盛り１６を表示しておいてもよい。
【００４４】
図５にはストロー１３に付された目盛り１６の例が示されている。
【００４５】
図５（Ａ）では、ストロー１３Ｂの長さ方向に沿って、単位間隔で表示される線または点などの目盛り１６Ｂが表示されている。
【００４６】
図５（Ｂ）では、ストロー１３Ｃの長さ方向に沿って、適当間隔で表示されるイラストからなる目盛り１６Ｃが表示されている。イラストに代えて文字などでもよい。
【００４７】
図５（Ｃ）では、ストロー１３Ｄの長さ方向に沿って、１つまたは複数のイラストからなる目盛り１６Ｄが表示されている。この場合には、イラストの内容、形状、または各部の色の相違などが目盛り１６Ｄとして機能する。
【００４８】
なお、これらの目盛り１６Ｂ〜１６Ｄを、等間隔ではなく、容器１１の形状に応じて、飲食料の量が互いに等しくなるような位置を示すように表示しておいてもよい。
【００４９】
このような目盛り１６Ｂ〜１６Ｄは、ストロー１３に印刷しておくことでよいが、印刷に代えて、焼付けし、またはエンボス加工し、またはシールを貼り付けるなどによって表示してもよい。
【００５０】
図６にはタグ１４の形状の他の例が示されている。
【００５１】
図６（Ａ）では、タグ１４Ｂは六角形であり、上下に２つの切り込み２２ａ，２２ｂが設けられている。
【００５２】
図６（Ｂ）では、タグ１４Ｃは円形であり、上下に２つの切り込み２３ａ，２３ｂが設けられている。
【００５３】
図６（Ｃ）では、タグ１４Ｄは不定形であり、上下に２つの切り込み２４ａ，２４ｂが設けられている。
【００５４】
図６（Ｄ）では、タグ１４Ｅは矩形であり、上下に４つの切り込み２５ａ，２５ｂ，２５ｃ，２５ｄが設けられている。
【００５５】
上に述べた実施形態の飲食用容器セット１によると、ユーザが飲食を趣味的に楽しんだりユーザへの宣伝広報を行うことができ、またユーザが飲んだ量の目安を知ることができる。
【００５６】
上に述べた実施形態において、それぞれのタグ１４、１４Ｂ〜１４Ｅに切り込みを設け、切り込みをストローが挿通するようにしたが、タグの構造はこれに限らない。例えば、シート状体を折り返して二重にし、または２枚のシート状体を貼り合わせて二重にし、二重のシート状体の間にストローを挿通するようにしてもよい。
【００５７】
上に述べた実施形態の飲用容器セット１において、タグ１４はストロー１３に取り付けられた状態である。しかし、飲食物の提供に当たって、このような形態に限る必要はない。例えば、タグ１４をストロー１３に取り付けることなく、多種類または多数のタグ１４を別途準備しておき、飲食物の提供を受けたユーザが好みのタグ１４を選択し、それをユーザがストロー１３に挿通することによって取り付けを完了するようにしてもよい。また例えば、飲食物の提供に当たって、多種類または多数のタグ１４とともに多種類または多数のストロー１３を準備しておき、ユーザがタグ１４およびストロー１３を選択し、ストロー１３に挿通することによって取り付けを完了するようにしてもよい。また、これらとともに、多種類または多数の蓋体１２を準備しておき、ユーザが選択するようにしてもよい。
【００５８】
上に述べた実施形態において、容器１１、蓋体１２、ストロー１３、１３Ｂ〜１３Ｄ、タグ１４、１４Ｂ〜１４Ｅ、メッセージ１５、目盛り１６Ｂ〜１６Ｄ、または飲食用容器セット１の全体の構造、材質、形状、寸法、色、内容などは、上に述べた以外に種々変更することができる。
【符号の説明】
【００５９】
１  飲食用容器セット（飲食物）
１１  容器（飲食用容器）
１２  蓋体
１３  ストロー
１３ａ  先端部
１４、１４Ｂ〜１４Ｅ  タグ
１５  メッセージ
１６Ｂ〜１６Ｄ  目盛り
２１ａ，２１ｂ  切り込み
３１ａ，３１ｂ  端片
ＤＲ  飲食料
【図１】
2020039473.tif 000003
【図２】
2020039473.tif 000004
【図３】
2020039473.tif 000005
【図４】
2020039473.tif 000006
【図５】
2020039473.tif 000007
【図６】
2020039473.tif 000008